【手続補正書】
【提出日】平成17年12月1日(2005.12.1)
【手続補正１】
【補正対象書類名】明細書
【補正対象項目名】特許請求の範囲
【補正方法】変更
【補正の内容】
【特許請求の範囲】
【請求項１】
光源手段と、
該光源手段から出射した光束を該光束の進行状態を他の進行状態の光束に変換して、射出する第１光学素子と、
該第１光学素子からの光束を主走査方向に長手の線像に変換する第２光学素子と、
該第２光学素子からの光束を偏向走査する偏向素子と、
該偏向素子からの光束を被走査面上に結像させる第３光学素子と、
該偏向素子からの光束を同期信号を得るための同期検出用素子に導く第４光学素子と、を具備する走査光学装置において、
前記第２光学素子と前記第４光学素子は、互いに離れて配置されており、
該第２光学素子の出射面から前記偏向素子の偏向点までの光路長が該偏向点から該第４光学素子の入射面までの光路長よりも長いことを特徴とする走査光学装置。
【請求項２】
前記第３光学素子の主走査断面内の焦点距離をｆｆθ、前記第４光学素子の主走査断面内の焦点距離をｆＢＤとするとき、
ｆｆθ／３＜ｆＢＤ＜ｆｆθ
なる条件を満足することを特徴とする請求項１の走査光学装置。
【請求項３】
前記第３光学素子の主走査断面内の焦点距離をｆｆθ、該第３光学素子の副走査断面内の結像倍率をβｆθ、前記第２光学素子の副走査断面内の焦点距離をｆｃｌとするとき、
ｆｃｌ＞ｆｆθ／（２｜βｆθ｜）
なる条件を満足することを特徴とする請求項１又は２の走査光学装置。
【請求項４】
前記第２光学素子はシリンドリカルレンズを含むことを特徴とする請求項１、２又は３の走査光学装置。
【請求項５】
前記第４光学素子はアナモフィックレンズを含んでおり、主走査断面内において光束を前記同期検出用素子の位置又はその近傍に結像させていることを特徴とする請求項１乃至４のいずれか１項に記載の走査光学装置。
【請求項６】
前記第４光学素子はプラスチック製レンズを含んでいることを特徴とする請求項１乃至５のいずれか１項に記載の走査光学装置。
【請求項７】
前記光源手段は独立に変調可能なマルチビーム光源であることを特徴とする請求項１乃至６のいずれか１項に記載の走査光学装置。
【請求項８】
前記光源手段から前記偏向素子に至る光路中に光路を変更する折り返しミラーを有することを特徴とする請求項１乃至７のいずれか１項に記載の走査光学装置。
【請求項９】
前記第４光学素子は前記光源手段から前記偏向素子に至る光路と、該偏向素子から前記被走査面に至る光路に挟まれた領域に配置していることを特徴とする請求項１乃至８のいずれか１項に記載の走査光学装置。
【請求項１０】
前記光源手段と前記同期検出素子は同一の電気基板上に配置していることを特徴とする請求項１乃至９のいずれか１項に記載の走査光学装置。
【請求項１１】
複数の光源手段と、
該複数の光源手段から出射した光束を該光束の進行状態を他の進行状態の光束に変換して、射出する複数の第１光学素子と、
該複数の第１光学素子からの光束を主走査方向に長手の線像に変換する１以上の第２光学素子と、
該１以上の第２光学素子からの複数の光束を偏向走査する１以上の偏向素子と、
該１以上の偏向素子からの複数の光束を複数の被走査面上に結像させる１以上の第３光学素子と、
該１以上の偏向素子からの複数の光束を同期信号を得るための同期検出用素子に導く１以上の第４光学素子と、を具備し、該複数の被走査面を走査するする走査光学装置において、
前記第２光学素子と前記第４光学素子は、互いに離れて配置されており、
該第２光学素子の出射面から前記偏向素子の偏向点までの光路長が該偏向点から該第４光学素子の入射面までの光路長よりも長いことを特徴とする走査光学装置。
【請求項１２】
前記第３光学素子の主走査断面内の焦点距離をｆｆθ、前記第４光学素子の主走査断面内の焦点距離をｆＢＤとするとき、
ｆｆθ／３＜ｆＢＤ＜ｆｆθ
なる条件を満足することを特徴とする請求項１１の走査光学装置。
【請求項１３】
前記第３光学素子の主走査断面内の焦点距離をｆｆθ、該第３光学素子の副走査断面内の結像倍率をβｆθ、前記第２光学素子の副走査断面内の焦点距離をｆｃｌとするとき、
ｆｃｌ＞ｆｆθ／（２｜βｆθ｜）
なる条件を満足することを特徴とする請求項１１又は１２の走査光学装置。
【請求項１４】
前記第２光学素子はシリンドリカルレンズを含むことを特徴とする請求項１１、１２又は１３の走査光学装置。
【請求項１５】
前記第４光学素子はアナモフィックレンズを含んでおり、主走査断面内において光束を前記同期検出用素子の位置又はその近傍に結像させていることを特徴とする請求項１１乃至１４のいずれか１項に記載の走査光学装置。
【請求項１６】
前記第４光学素子はプラスチック製レンズを含んでいることを特徴とする請求項１１乃至１５のいずれか１項に記載の走査光学装置。
【請求項１７】
前記光源手段は独立に変調可能なマルチビーム光源であることを特徴とする請求項１１乃至１６のいずれか１項に記載の走査光学装置。
【請求項１８】
前記光源手段から前記偏向素子に至る光路中に光路を変更する折り返しミラーを有することを特徴とする請求項１１乃至１７のいずれか１項に記載の走査光学装置。
【請求項１９】
前記第４光学素子は前記光源手段から前記偏向素子に至る光路と、該偏向素子から前記被走査面に至る光路に挟まれた領域に配置していることを特徴とする請求項１１乃至１８のいずれか１項に記載の走査光学装置。
【請求項２０】
前記光源手段と前記同期検出素子は同一の電気基板上に配置していることを特徴とする請求項１１乃至１９のいずれか１項に記載の走査光学装置。
【請求項２１】
請求項１乃至１０のいずれか一項に記載の走査光学装置と、前記被走査面に配置された感光体と、前記走査光学装置で走査された光束によって前記感光体上に形成された静電潜像をトナー像として現像する現像器と、前記現像されたトナー像を被転写材に転写する転写器と、転写されたトナー像を被転写材に定着させる定着器とを備えたことを特徴とする画像形成装置。
【請求項２２】
請求項１１乃至２０のいずれか一項に記載の走査光学装置と、前記複数の被走査面に配置された複数の感光体と、前記走査光学装置で走査された複数の光束によって前記感光体上に形成された静電潜像をトナー像として現像する複数の現像器と、前記現像されたトナー像を被転写材に転写する複数の転写器と、転写されたトナー像を被転写材に定着させる定着器とを備えたことを特徴とするカラー画像形成装置。
【請求項２３】
請求項１乃至２０のいずれか一項に記載の走査光学装置と、外部機器から入力したコードデータを画像信号に変換して前記走査光学装置に入力せしめるプリンタコントローラとを備えたことを特徴とする画像形成装置。
【手続補正２】
【補正対象書類名】明細書
【補正対象項目名】００１１
【補正方法】変更
【補正の内容】
【００１１】
【課題を解決するための手段】
請求項１の発明の走査光学装置は、光源手段と、
該光源手段から出射した光束を該光束の進行状態を他の進行状態の光束に変換して、射出する第１光学素子と、
該第１光学素子からの光束を主走査方向に長手の線像に変換する第２光学素子と、
該第２光学素子からの光束を偏向走査する偏向素子と、
該偏向素子からの光束を被走査面上に結像させる第３光学素子と、
該偏向素子からの光束を同期信号を得るための同期検出用素子に導く第４光学素子と、を具備する走査光学装置において、
前記第２光学素子と前記第４光学素子は、互いに離れて配置されており、
該第２光学素子の出射面から前記偏向素子の偏向点までの光路長が該偏向点から該第４光学素子の入射面までの光路長よりも長いことを特徴としている。
請求項２の発明は、請求項１の発明において、前記第３光学素子の主走査断面内の焦点距離をｆｆθ、前記第４光学素子の主走査断面内の焦点距離をｆＢＤとするとき、
ｆｆθ／３＜ｆＢＤ＜ｆｆθ
なる条件を満足することを特徴としている。
請求項３の発明は、請求項１又は２の発明において、前記第３光学素子の主走査断面内の焦点距離をｆｆθ、該第３光学素子の副走査断面内の結像倍率をβｆθ、前記第２光学素子の副走査断面内の焦点距離をｆｃｌとするとき、
ｆｃｌ＞ｆｆθ／（２｜βｆθ｜）
なる条件を満足することを特徴としている。
請求項４の発明は、請求項１、２又は３の発明において、前記第２光学素子はシリンドリカルレンズを含むことを特徴としている。
請求項５の発明は、請求項１乃至４のいずれか１項の発明において、前記第４光学素子はアナモフィックレンズを含んでおり、主走査断面内において光束を前記同期検出用素子の位置又はその近傍に結像させていることを特徴としている。
請求項６の発明は、請求項１乃至５のいずれか１項の発明において、前記第４光学素子はプラスチック製レンズを含んでいることを特徴としている。
請求項７の発明は、請求項１乃至６のいずれか１項の発明において、前記光源手段は独立に変調可能なマルチビーム光源であることを特徴としている。
請求項８の発明は、請求項１乃至７のいずれか１項の発明において、前記光源手段から前記偏向素子に至る光路中に光路を変更する折り返しミラーを有することを特徴としている。
請求項９の発明は、請求項１乃至８のいずれか１項の発明において、前記第４光学素子は前記光源手段から前記偏向素子に至る光路と、該偏向素子から前記被走査面に至る光路に挟まれた領域に配置していることを特徴としている。
請求項１０の発明は、請求項１乃至９のいずれか１項の発明において、前記光源手段と前記同期検出素子は同一の電気基板上に配置していることを特徴としている。
請求項１１の発明の走査光学装置は、複数の光源手段と、
該複数の光源手段から出射した光束を該光束の進行状態を他の進行状態の光束に変換して、射出する複数の第１光学素子と、
該複数の第１光学素子からの光束を主走査方向に長手の線像に変換する１以上の第２光学素子と、
該１以上の第２光学素子からの複数の光束を偏向走査する１以上の偏向素子と、
該１以上の偏向素子からの複数の光束を複数の被走査面上に結像させる１以上の第３光学素子と、
該１以上の偏向素子からの複数の光束を同期信号を得るための同期検出用素子に導く１以上の第４光学素子と、を具備し、該複数の被走査面を走査するする走査光学装置において、
前記第２光学素子と前記第４光学素子は、独互いに離れて配置されており、
該第２光学素子の出射面から前記偏向素子の偏向点までの光路長が該偏向点から該第４光学素子の入射面までの光路長よりも長いことを特徴としている。
請求項１２の発明は、請求項１１の発明において、前記第３光学素子の主走査断面内の焦点距離をｆｆθ、前記第４光学素子の主走査断面内の焦点距離をｆＢＤとするとき、
ｆｆθ／３＜ｆＢＤ＜ｆｆθ
なる条件を満足することを特徴としている。
請求項１３の発明は、請求項１１又は１２の発明において、前記第３光学素子の主走査断面内の焦点距離をｆｆθ、該第３光学素子の副走査断面内の結像倍率をβｆθ、前記第２光学素子の副走査断面内の焦点距離をｆｃｌとするとき、
ｆｃｌ＞ｆｆθ／（２｜βｆθ｜）
なる条件を満足することを特徴としている。
請求項１４の発明は、請求項１１、１２又は１３の発明において、前記第２光学素子はシリンドリカルレンズを含むことを特徴としている。
請求項１５の発明は、請求項１１乃至１４のいずれか１項の発明において、前記第４光学素子はアナモフィックレンズを含んでおり、主走査断面内において光束を前記同期検出用素子の位置又はその近傍に結像させていることを特徴としている。
請求項１６の発明は、請求項１１乃至１５のいずれか１項の発明において、前記第４光学素子はプラスチック製レンズを含んでいることを特徴としている。
請求項１７の発明は、請求項１１乃至１６のいずれか１項の発明において、前記光源手段は独立に変調可能なマルチビーム光源であることを特徴としている。
請求項１８の発明は、請求項１１乃至１７のいずれか１項の発明において、前記光源手段から前記偏向素子に至る光路中に光路を変更する折り返しミラーを有することを特徴としている。
請求項１９の発明は、請求項１１乃至１８のいずれか１項の発明において、前記第４光学素子は前記光源手段から前記偏向素子に至る光路と、該偏向素子から前記被走査面に至る光路に挟まれた領域に配置していることを特徴としている。
請求項２０の発明は、請求項１１乃至１９のいずれか１項の発明において、前記光源手段と前記同期検出素子は同一の電気基板上に配置していることを特徴としている。
請求項２１の発明の画像形成装置は、請求項１乃至１０のいずれか一項に記載の走査光学装置と、前記被走査面に配置された感光体と、前記走査光学装置で走査された光束によって前記感光体上に形成された静電潜像をトナー像として現像する現像器と、前記現像されたトナー像を被転写材に転写する転写器と、転写されたトナー像を被転写材に定着させる定着器とを備えたことを特徴としている。
請求項２２の発明のカラー画像形成装置は、請求項１１乃至２０のいずれか一項に記載の走査光学装置と、前記複数の被走査面に配置された複数の感光体と、前記走査光学装置で走査された複数の光束によって前記感光体上に形成された静電潜像をトナー像として現像する複数の現像器と、前記現像されたトナー像を被転写材に転写する複数の転写器と、転写されたトナー像を被転写材に定着させる定着器とを備えたことを特徴としている。
請求項２３の発明の画像形成装置は、請求項１乃至２０のいずれか一項に記載の走査光学装置と、外部機器から入力したコードデータを画像信号に変換して前記走査光学装置に入力せしめるプリンタコントローラとを備えたことを特徴としている。
【手続補正３】
【補正対象書類名】明細書
【補正対象項目名】００１４
【補正方法】変更
【補正の内容】
【００１４】
同図において１は光源手段であり、例えば半導体レーザー等より成っている。２は第１光学素子としての集光レンズ（コリメーターレンズ）であり、光源手段１から放射された発散光束を略平行光束(もしくは略収束光束)に変換している。即ち光源手段１からの光束を該光束の進行状態を他の進行状態の光束に変換して射出している。３は開口絞りであり、通過光束を制限してビーム形状を整形している。４は第２光学素子としての光学系（シリンドリカルレンズ）であり、副走査方向にのみ所定のパワーを有しており、開口絞り３を通過した光束を副走査断面内で後述する光偏向器５の偏向面（反射面）５ａにほぼ線像として結像させている。尚、コリメーターレンズ２、開口絞り３、そしてシリンドリカルレンズ４等の各要素は入射光学系の一要素を構成している。
【手続補正４】
【補正対象書類名】明細書
【補正対象項目名】００２０
【補正方法】変更
【補正の内容】
【００２０】
本実施形態においてはシリンドリカルレンズ４とＢＤレンズ７３は独立して構成されており、また被走査面８上の走査中心へ向かう主光線が光偏向器５で偏向する点を基準点Ｐとしたとき、該シリンドリカルレンズ４は、該ＢＤレンズ７３よりも該基準点Ｐから遠方に位置している。即ち、光偏向器５における走査中心へ向かう光束の偏向点Ｐを基準として、シリンドリカルレンズ４までの距離が、ＢＤレンズ７３までの距離よりも遠くになるように、双方を離して配置している。